(57)【要約】【課題】本発明はスタイラスペン入力装置の座標位置取得精度の向上を目的とするもので、簡便な構成でＣＦＬ２５交流駆動電圧の影響からタブレット７への誘導ノイズ成分を除去し、精度のよい携帯情報端末装置及び表示部の押圧位置の座標を確定する方法を提供できる。【解決手段】Ｘ座標取得ゲートオンに同期しＣＦＬ２５をオフとし、Ａ／Ｄ変換した後、再び、ＣＦＬ２５を一時的にオンし、次にＹ座標取得ゲートオンに同期しＣＦＬ２５をオフとし、Ａ／Ｄ変換した後、再びＣＦＬ２５をオンにしてからＸ，Ｙ座標通知を行うことで、簡便な構成でＬＣＤ４の輝度を実用的に許容できる安定画が得られる。【選択図】　図１
2004046387.tif 000002
【特許請求の範囲】
【請求項１】
情報を表示する表示部と、前記表示部を点灯する点灯手段と、前記表示部に重なり、前記表示部の押圧位置を検出する座標検出部とを有する携帯情報端末装置において、
前記点灯手段を消灯して、前記座標検出部でＸ座標を検出し、再び前記点灯手段を点灯後、前記点灯手段を消灯して、前記座標検出部でＹ座標を検出し、再び前記点灯手段を点灯後、前記検出したＸ座標とＹ座標を押圧位置とすることを特徴とする携帯情報端末装置。
【請求項２】
情報を表示する表示部と、前記表示部を点灯する点灯手段と、前記表示部に重なり、前記表示部の押圧位置の座標を検出する座標検出部とを有する携帯情報端末装置において、
前記座標をＸ軸と前記Ｘ軸に直交するＹ軸とで構成し、前記Ｘ軸の座標を検出するＸ座標検出手段と、前記Ｙ軸の座標を検出するＹ軸座標検出手段とを有し、前記点灯手段を消灯して、前記Ｘ座標検出手段でＸ座標を検出し、再び前記点灯手段を点灯後、前記点灯手段を消灯して、前記Ｙ座標検出手段でＹ座標を検出し、再び前記点灯手段を点灯後、前記検出したＸ座標とＹ座標を押圧位置とすることを特徴とする携帯情報端末装置。
【請求項３】
前記請求項２記載の携帯情報端末装置において、
平均値を演算する演算手段を有し、前記点灯手段を消灯して、前記Ｘ座標検出手段でＸ座標を複数回検出し、再び前記点灯手段を点灯後、前記点灯手段を消灯して、前記Ｙ座標検出手段でＹ座標を複数回検出し、再び前記点灯手段を点灯後、前記検出した前記Ｘ座標と前記Ｙ座標を前記演算手段で演算し、この平均値を押圧位置とすることを特徴とする携帯情報端末装置。
【請求項４】
前記請求項２記載の携帯情報端末装置において、
前記点灯手段を消灯して、前記Ｘ座標検出手段でＸ座標をＮ（Ｎは自然数）回検出し、Ｎ回目とＮ−１回目の前記Ｘ座標の差が任意に定める値以下になるまで前記Ｘ座標を複数回検出し、再び前記点灯後、前記点灯手段を消灯して、前記Ｙ座標検出手段でＹ座標をＮ（Ｎは自然数）回検出し、Ｎ回目とＮ−１回目の前記Ｙ座標の差が任意に定める値以下になるまで前記Ｙ座標を複数回検出し、再び前記点灯手段を点灯後、前記Ｘ座標とＹ座標の検出で得た座標を押圧位置とすることを特徴とする携帯情報端末装置。
【請求項５】
前記請求項４記載の携帯情報端末装置において、
平均値を演算する演算手段を有し、前記点灯手段を消灯して、前記Ｘ座標検出手段でＸ座標をＮ（Ｎは自然数）回検出し、Ｎ回目とＮ−１回目の前記Ｘ座標の差が任意に定める値以下になるまで前記Ｘ座標を複数回検出し、再び前記点灯後、前記点灯手段を消灯して、前記Ｙ座標検出手段でＹ座標をＮ（Ｎは自然数）回検出し、Ｎ回目とＮ−１回目の前記Ｙ座標の差が任意に定める値以下になるまで前記Ｙ座標を複数回検出し、再び前記点灯手段を点灯後、前記検出した前記Ｘ座標と前記Ｙ座標を前記演算手段で演算し、この平均値を押圧位置とすることを特徴とする携帯情報端末装置。
【請求項６】
情報を表示する表示部と、前記表示部を点灯する点灯手段と、前記表示部に重なり、前記表示部の押圧位置の座標を検出する座標検出部とを有し、前記座標をＸ軸、前記Ｘ軸に直交するＹ軸で構成した表示装置の押圧位置確定方法において、
前記点灯手段を消灯するステップと、前記Ｘ座標を検出するステップと、再び前記点灯手段を点灯するステップと、前記点灯手段を消灯するステップと、前記Ｙ座標を検出するステップと、再び前記点灯手段を点灯するステップと、前記検出した前記Ｘ座標と前記Ｙ座標を押圧位置とすることを特徴とする表示装置の押圧位置確定方法。
【請求項７】
前記請求項６記載の表示装置の押圧位置確定方法において、
平均値を演算するステップを有し、前記点灯手段を消灯するステップと前記Ｘ座標を複数回検出するステップと、再び前記点灯手段を点灯するステップと、前記点灯手段を消灯するステップと、前記Ｙ座標を複数回検出するステップと、再び前記点灯手段を点灯するステップと、前記演算するステップで求めた前記Ｘ座標と前記Ｙ座標それぞれの平均値を押圧位置とすることを特徴とする表示装置の押圧位置確定方法。
【請求項８】
前記請求項６記載の表示装置の押圧位置座標確定方法において、
前記点灯手段を消灯するステップと、前記Ｘ座標をＮ（Ｎは自然数）回検出するステップと、Ｎ回目とＮ−１回目の前記Ｘ座標の差が任意に定める値以下になるまで前記Ｘ座標を複数回検出するステップと、再び前記点灯手段を点灯するステップと、前記点灯手段を消灯するステップと、前記Ｙ座標をＮ（Ｎは自然数）回検出するステップと、Ｎ回目とＮ−１回目の前記Ｙ座標の差が任意に定める値以下になるまで前記Ｙ座標を複数回検出するステップと、再び前記点灯手段を点灯するステップと、前記検出した前記Ｘ座標と前記Ｙ座標を押圧位置とすることを特徴とする表示装置の押圧位置座標確定方法。
【請求項９】
前記請求項６記載の表示装置の押圧位置座標確定方法において、
平均値を演算するステップを有し、前記点灯手段を消灯するステップと、前記Ｘ座標をＮ（Ｎは自然数）回検出するステップと、Ｎ回目とＮ−１回目の前記Ｘ座標の差が任意に定める値以下になるまで前記Ｘ座標を複数回検出するステップと、再び前記点灯手段を点灯するステップと、前記点灯手段を消灯するステップと、前記Ｙ座標をＮ（Ｎは自然数）回検出するステップと、Ｎ回目とＮ−１回目の前記Ｙ座標の差が任意に定める値以下になるまで前記Ｙ座標を複数回検出するステップと、再び前記点灯手段を点灯するステップと、前記演算で求めた前記Ｘ座標と前記Ｙ座標それぞれの平均値を押圧位置とすることを特徴とする表示装置の押圧位置確定方法。
【請求項１０】
前記請求項６乃至９記載の表示装置の押圧位置確定方法において、
前記点灯手段を消灯するステップに同期して前記Ｘ座標を検出するステップと、前記点灯手段を消灯するステップに同期して前記Ｙ座標を検出するステップとを有することを特徴とする表示装置の押圧位置確定方法。
【請求項１１】
前記請求項１乃至４記載の携帯情報端末装置において、
光源部、導光部と液晶表示パネルとを有する表示部を設けた筐体と、
前記筐体の外面に設けた前記座標の入力部から成り、前記筐体を非金属性部材で形成することを特徴とする携帯情報端末装置。
【発明の詳細な説明】
【０００１】
【発明の属する技術分野】
本発明は、携帯パーソナルコンピュータや、ＰＤＡ（パーソナル　デジタル　アシスタント）また、高機能電子手帳のような情報処理機能有した装置で、ユーザがペンや指で文字の入力や編集を行う機能を備えた携帯情報端末装置に関する。
【０００２】
【従来の技術】
従来、携帯情報端末装置の表示及び入力部は、透過／半透過型液晶表示ディスプレイ（以下ＬＣＤで表記する）を用い、ＬＣＤに内蔵された冷陰極線管（以下ＣＦＬ）をバックライトとして使用している。このＬＣＤはユーザが入力作業をするためにタブレットで覆い、さらにこのタブレットはＬＣＤの金属フレームを介して、ＬＣＤ上に配置されている。ペン入力装置（以下スタイラスペン）に抵抗感圧式アナログタブレットがある。このタブレットは、薄膜抵抗を均一に塗布した上部電極と下部電極が微小なスペーサを介して対向している。そこで、任意の位置をスタイラスペンで押すと、上部電極と下部電極が接触して、入力位置に比例した抵抗値がＸ軸及びＹ軸の電極に現れる。ここで両電極間に電圧を印可して、この抵抗値を電圧値に変換する。その電圧値を中央演算処理装置（以下ＣＰＵ）は、アナログ信号とデジタル信号を変換するＡ／Ｄコンバータを介して、スタイラスペンの入力座標位置として検出している。
【０００３】
ところで、携帯情報端末装置は近年ますますその軽量化が望まれている。そこでＬＣＤの金属フレームを非金属製に代え軽量化を図ることが望ましい。しかしながら、ＣＦＬの交流駆動電圧によりタブレット電極に誘導ノイズが発生し、タブレットのＸ軸、Ｙ軸座標検出信号に重畳してしまうので、容易に非金属製のＬＣＤフレームを用いることができない。
【０００４】
すなわち、タブレットは抵抗膜を介して、上部電極と下部電極が対向している構成のため、簡易的なコンデンサを形成している。一方、ＣＦＬは通常インバータにより数百ボルト、１００ＫＨｚ程度の交流電圧で駆動されている。金属フレームで覆われたＬＣＤは、ＣＦＬとタブレットが金属フレームでシールドされ、ＣＦＬの交流駆動電圧による誘導をタブレットが受けないが、小型、軽量化のためにプラスチックフレームに変更すると、シールド効果がなくなりＣＦＬからの誘導をタブレットが受けて、タブレットへ点灯周波数と一致したノイズがタブレットの電極上に発生し、安定した電圧を取得できない。
【０００５】
この誘導ノイズの影響を防止する公知例として特開平７−１２９３２０号公報、特開平９−５０３４７号公報、特開２０００−２０７１２５号公報が開示されている。
【０００６】
特開平７−１２９３２０号公報は、電圧誘起型位置検出ペンを利用した例である。この例では電圧誘起型位置検出ペンをタブレットに近づけると、検出ペンに誘起電圧が発生するので、その電位を検知してバックライトを一時的に停止し、誘導ノイズを除去する方法である。しかし、電圧誘起型位置検出ペンの特性を利用しているので、抵抗感圧式アナログタブレットでは利用できない。
【０００７】
特開平９−５０３４７号公報は、表面弾性波方式や抵抗感圧式アナログタブレットで、入力座標位置を検出する時にタブレット装置のスイッチング電源回路を休止させ、電源回路からのノイズを発生させない方法を開示している。しかしながらこの方法では、電源電圧の降下、上昇が繰り返し発生するため、スイッチング電源回路を表示部専用ラインにする必要があり、携帯性を重視する携帯情報端末装置の小型化に馴染まない。
【０００８】
特開２０００−２０７１２５号公報は、抵抗感圧式アナログタブレットに適用するものであり、座標検出をする間バックライトを消灯するものである。すなわち、割込み検知後に一度ライトの点灯を行い第二の周期タイマで定めた時間経過後消灯、そしてウェイト後にＸ，Ｙ両軸を読取っている。しかしながら、Ｘ軸とＹ軸の座標位置は、一度に両座標位置をその構成上検出できないため、オフタイマの時間を長くとる必要が有りＬＣＤの輝度に不安定さが起きる。さらに、この開示例では、第一の周期タイマと、第二の周期タイマと、ウェイトタイマとオフタイマ、これら四つの構成要素が必要になる。
【０００９】
【発明が解決しようとする課題】
本発明の目的は、より小型軽量化が図れるように、非金属のフレームを使用しても簡便な構成で、正しくタブレットの座標位置を検出する手段の提供にある。
【００１０】
【課題を解決するための手段】
本発明の一つの特徴としては、タブレットの抵抗感圧素子にＸ，Ｙ座標を読み出すＡ／Ｄコンバータ回路と、割込み処理回路を介してペンダウンを検知するＣＰＵから成り、カウンタ処理ステップ後のＣＦＬ消灯ステップとＸ座標の検出ステップ、さらにＣＦＬを一度点灯後再び消灯するステップ、その後にＹ座標を検出するステップから成るものである。
【００１１】
本発明の他の特徴としては、Ｘ，Ｙ座標を複数回検出するステップを持ち、その平均値の演算手段を配してある。すなわち、Ｘ座標とＹ座標の読み出しをそれぞれ複数回行い、その平均値を前記演算手段で検出する動作から成り、座標検出精度を上げることができる。
【００１２】
さらに本発明の他の特徴としては、複数回検出するステップの検出値の変化を算出する演算手段を設けたので、座標検出精度を上げることができる。
【００１３】
【発明の実施の形態】
本発明の第一の実施形態を図１を用いて説明する。
【００１４】
ＣＰＵ１はプログラムメモリ２（ＲＯＭ）に書き込まれたプログラムに基づいて処理を行う。記憶部３（ＤＲＡＭ）は、このプログラム処理を行うときのワークエリア及び暗証番号、予定表、住所録等のユーザデータを格納する。ＬＣＤ４は予定表、住所録等の情報処理されたデータを表示する表示部であり、ＬＣＤ４に表示させるための表示データの格納や、あるいは表示制御を行うために、外部表示装置（ＣＲＴ、図示せず）とのインターフェースとしてＣＲＴＩ／Ｆ回路６がある。グラフィックＩＣ５は、ＬＣＤ４やＣＲＴでの表示用のＩＣである。ＬＣＤ４の内部には、バックライトとしてＣＦＬ２５が配置されており、このＣＦＬ２５の点灯駆動はインバータ２３で行う。このＣＦＬ２５とインバータ２３が点灯手段になる。タブレット７は、スタイラスペンを用いて使用者が携帯情報端末装置に情報を入力するためのものであり、このタブレット７の入力は、割込み処理回路４０を介してＣＰＵ１へ報知する。Ａ／Ｄコンバータ回路２４は、タブレット７上のスタイラスペンの位置を検知するものである。タブレット７でのＸ軸、Ｙ軸座標の検知は、割込み処理回路４０、Ａ／Ｄコンバータ回路２４、ＣＰＵ１とそのプログラムが書き込まれたＲＯＭ２の連携で行う。このタブレット７とＡ／Ｄコンバータ回路２４が座標検出部になる。
【００１５】
その他、電話回線を使用してＦＡＸ、電子メール等の情報を送受信するためのファクシミリ変復調部９（ＦＡＸ／ＭＯＤＥＭ）、無線形携帯電話を介してデータを送受信する為の符号分割多重接続回路１３（ＣＤＭＡＩ／Ｆ回路）、セルラ通信接続１４（ＰＤＣ／ＰＨＳＩ／Ｆ）回路、前述のＣＤＭＡＩ／Ｆ回路１３、ＰＤＣ／ＰＨＳＩ／Ｆ回路１４を制御する自動同期接続ＩＣ２２（ＡＳＩＣ）、使用者が携帯情報端末装置に情報を入力する為の押釦部であるキーボード８、パーソナルコンピュータやプリンタ等の外部装置とデータの送受信を行うためのＲＳ２３２Ｃドライバ回路１０（ＲＳ２３２Ｃ　Ｉ／Ｆ）、赤外線通信回路１１（ＩｒＤＡ　Ｉ／Ｆ）、外付けのマウス、プリンタ等を接続するＵＳＢ回路１２、使用者のデータ又はアプリケーションプログラム等を格納しておく為のＩ／Ｆ回路としてのコンパクトフラシュメモリ接続（ＣＦＩ／Ｆ）回路１５、パーソナルコンピュータ用（ＰＣカードＩ／Ｆ）回路１６、外部の音声を録音再生、又は音声プログラムを再生する為のＳｏｕｎｄＩ／Ｏ回路１７、スピーカ１８、マイク１９、前述のタブレット７、キーボード８、ＲＳ２３２Ｃドライバ回路１０、赤外線通信回路１１、ＵＳＢ回路１２、ＣＦＩ／Ｆ回路１５、ＰＣカードＩ／Ｆ回路１６、ＳｏｕｎｄＩ／Ｏ回路１７を制御するコンパニオンＩＣ（ＣＣ）２１、前記システム全体に電源を供給するための電源回路２０で構成してある。
【００１６】
ＬＣＤ４とタブレット７について、さらに詳述する。図２はＬＣＤ４の概略断面図、図３は抵抗感圧式アナログタブレットの断面図、図４は、タブレット７、割込み処理回路４０とＡ／Ｄコンバータ回路２４等との構成関係の説明図である。ＬＣＤ４は、液晶部２６を背面からバックライトで光を透過させて液晶表示させている。このバックライトにはＣＦＬ２５を用い、ＣＦＬ２５の光源を効率よく液晶部背面から光を透過させるために、液晶裏面に導光体２７を用いてＣＦＬ２５の光源を液晶背面に均等に光を導いている。本概略図では省略しているが、ＬＣＤ４を駆動するためのドライバ回路、電源回路、本体のクラフィックチップとの表示データを入力するためのＩ／Ｆ回路も含まれている。
【００１７】
タブレット７は、液晶部２６、導光体２７、ＣＦＬ２５を格納した非金属性フレーム２８の上に重ね合わせるように配置している。タブレット７の構成は、上部電極２９と下部電極３０が微小なスペーサ３１を介した抵抗膜があり、互いに向き合っている。この抵抗膜はＸ軸とＹ軸に互いに直交配置した電極になっていて、上部電極２９がＸ軸方向の両端間Ｘ１−Ｘ２の抵抗膜、下部電極３０がＹ軸方向の両端間Ｙ１−Ｙ２の抵抗膜である。これらの抵抗膜には電気的なスイッチＳＷ５１，５２，５３，５４，５５を接続しており、ＣＰＵ１の制御により自由にオン／オフできる。そして、任意の位置をスタイラスペン３２で押すと、上部電極２９と下部電極３０が接触して、入力位置に比例した抵抗値がＸ軸電極及びＹ軸電極に現れる。
【００１８】
スタイラスペンの座標を検知する為には、まず、任意の位置にスタイラスペンがペンダウンされたか否かを検知する必要がある。この検知を行う為にＣＰＵ１はＳＷ５２，５５をオン、ＳＷ５１，５３，５４をオフの状態にして、Ａ部の電圧を監視している。ペンダウンしていない時、Ａ部の電圧は約０Ｖ、ペンダウンの状態の時は、約３．３Ｖになる。この電圧差によりペンダウンを割込み処理回路４０を介してＣＰＵ１が検知する。
【００１９】
ペンダウンを検知するとＣＰＵ１は、即座にペンダウンの座標位置、すなわち押圧位置を検出するために、Ｘ軸及びＹ軸の電圧を読み取る。最初にＸ軸の電圧を検知する為に、ＳＷ５１，５３をオン、ＳＷ５２，５４，５５をオフしＣ部の電圧をＡ／Ｄコンバータ回路２４を介して読むことによってＸ軸方向のスタイラスペンの位置が抵抗分圧値として電圧で読み取れる。次に、Ｙ軸の電圧を検知する為にＳＷ５２，５４をオン、ＳＷ５１，５３，５５をオフしＢ部の電圧をＡ／Ｄコンバータ回路２４を介して読むことによってＹ軸方向のスタイラスペンの位置が抵抗分圧値として電圧で読み取れる。
【００２０】
このように、Ｘ軸及びＹ軸方向の電圧値から、スタイラスペン３２のペンダウン座標位置を検出する。なおこの実施形態では、液晶を透過型としてバックライトを使用しているが、透過型に限定するものではなく反射型を用いバックライトの代わりにフロントライトでも同様に適応可能である。
【００２１】
次に図５に示すフローチャートでその動作を説明する。携帯情報端末装置は電源２０をオン後、ＣＰＵ１がペンダウン割込み待ち状態にある（Ｓ１０１）。ペンダウンが発生した場合はカウンタ値をクリアし（Ｓ１０２）、任意の時間待って（Ｓ１０３）から、ペンダウン検知用ゲートをオン（Ｓ１０４）し、任意の時間待って（Ｓ１０５）からペンダウンチェック（Ｓ１０６）を行う。ペンダウンがされていなければ、再度ペンダウン割込み待ち（Ｓ１０１）に戻りになる。一方ペンダウンされていた場合は、カウンタ値をインクリメント（Ｓ１０７）し、カウンタ値を比較（Ｓ１０８）して任意の値（α）以下であれば、任意の時間待って（Ｓ１１８）から再度、ペンダウン検知用ゲートをオン（Ｓ１０４）してペンダウンチェックを行う。
【００２２】
本フローはペンダウン時のチャタリング等電気的、機械的ノイズを取り除く為、タブレット７の押圧が確実に行われているかを確認するために行なうものである。またこの繰り返しはカウンタインクリメント（Ｓ１０７）で積算して所定回数繰り返している。以上により、ＣＰＵ１と、タブレット７と割込み処理回路４０の連携で行っており、任意の時間待つステップ（Ｓ１０３、Ｓ１０５）と、カウンタインクリメント（Ｓ１０７）はＣＰＵ１の内蔵機能で行う。
【００２３】
以下は本発明の要部をなすステップについて説明する。以下のステップは、タブレット７、Ａ／Ｄコンバータ回路２４、インバータ２３、ＣＦＬ２５、ＬＣＤ４、ＣＰＵ１とそのプログラムが書き込まれたＲＯＭ２の連携で行う。
【００２４】
前記フローでカウンタ値が任意の値（α）に達していれば（Ｓ１０８）、Ｘ座標取得用スイッチをオン（Ｓ１０９）に同期させて、ＣＦＬ２５をオフ（Ｓ１１０）し、Ｘ座標の電圧のＡ／Ｄ変換（Ｓ１１１）を行う。そしてＡ／Ｄ変換されたＸ座標をＣＰＵ１の内部メモリ（図示せず）に格納する。その後再びＣＦＬ２５をオン（Ｓ１１２）する。ここで任意の値αは通常数回に設定している。
【００２５】
次に、Ｙ軸方向もＸ軸方向と同様にフローのＳ１１３からＳ１１６のステップでＹ軸データを取得し、Ｘ座標のときと同様にＣＰＵ１の内部メモリ（図示せず）に格納する。その後ＣＦＬオン（Ｓ１１６）するとともに、そのＸ，Ｙ軸の座標データをＣＰＵ１のデータ取得ソフトに通知（Ｓ１１７）を行った後再びフローに従い、最終的にペンダウン割込み待ち状態（Ｓ１０１）にする。ここでＸ座標の読み取りからＹ座標の読み取りの間の点灯（Ｓ１１２）は、おおよそ数ミリ秒、座標読み取り動作は数十マイクロ秒である。そこで、タブレット７とＬＣＤ４から成る表示部の明るさは、使用上なんら不都合なく使用できる。
【００２６】
図６はインバータ２５からの誘導ノイズがＸ座標データに重畳される状態を模式的に示している。図５のフローの動作でペンダウン割込み待ち状態（Ｓ１０１）から、Ｘ座標取得用スイッチをオン（Ｓ１０９）までの期間は、図６のＤに示すノイズの重畳を起こしている。しかし、Ｓ１０９に同期したＣＦＬオフ（Ｓ１１０）の動作状態になるとき（図６のＥ）から、Ｘ座標の検出電圧はノイズの重畳がなく（図６のＦ）、次のＣＦＬオン（Ｓ１１２）までの期間安定した座標電圧になり、この期間にＸ座標のＡ／Ｄ変換（Ｓ１１１）を行う。そして、次のＣＦＬオン（Ｓ１１２、図６のＧ）で再びノイズの重畳が起きるが（図６のＨ）、Ｙ座標取得ゲートオン（Ｓ１１３）に同期したＣＦＬオフ（Ｓ１１４）で、再び安定した座標電圧になる（図６のＪ、Ｋ、Ｌ）。ここでＹ座標のＡ／Ｄ変換（Ｓ１１５）を行いＹ座標の読み込みを行う。
【００２７】
このように、Ａ／Ｄコンバータ回路で座標位置を取得する間の短時間インバータ２３によるＣＦＬ２５の駆動を中断し、ＣＦＬ２５のノイズがタブレット７の出力電圧に影響を与えないようにし、安定した正確な座標位置を取得する。この実施形態ではＣＦＬ２５のオフで説明したが、インバータ２３の出力を少なくするＣＦＬ２５の調光制御に同期させて座標位置を取得させてもよい。
【００２８】
以上説明した様にＣＦＬ２５の影響によりタブレット７の出力電圧に影響を与えることなく、安定した正確な座標位置が取得される。
【００２９】
この第一の実施形態では、携帯型の携帯情報端末装置で説明したが、ＬＣＤ４、ＣＦＬ２５、ＣＰＵ１と抵抗感圧式のタブレット７等で構成し、ペンで押圧して座標位置決めする表示部を有すものであれば、上記説明のフローで押圧位置の座標を確定する方法が適用できる。
【００３０】
図７は第二の実施形態を示すフローチャートである。この第二の実施形態は、取得したデータをＸ，Ｙ軸データ取得ソフトに通知する時のデータ管理方法が第一の実施形態と異なり、座標データをより正確に検出するものである。Ｘ軸、Ｙ軸のデータは、ＣＦＬ２５のノイズ成分を取り除いたとしても、他の構成部からの影響もあり、変動を完全に取り除くことができない場合がある。そこで第二の実施形態は、取得するデータを任意の回数複数サンプリングを行い、そのデータをＲＯＭ２に内蔵の演算手段で平均値を求め、ＣＰＵ１のデータ取得ソフトに報知しようとするものである。平均化の方法として、総てのデータを単純に平均化する方法と、取得したｎ個のデータの内、任意のデータを切り捨てて平均化を行なう方法がある。その一例としては、最大及び最小のデータ値から任意の個数のデータを取り除き、センター値のみで平均化を行なう方法がある。
【００３１】
上記を図７のフローチャートを用いて説明する。この第二の実施形態は、図５のフローチャートのＸ座標取得ゲートオン（Ｓ１０９）に同期させたＣＦＬオフ（Ｓ１１０）までは第一の実施形態と同じである。そしてＸ座標のＡ／Ｄ変換（Ｓ１１１）を規定回数（β回）繰り返し（Ｓ１１９）、規定のサンプリング回数に達したならば、ＣＦＬ２５を再びオンとする（Ｓ１２０）。次に、Ｙ軸もＸ軸と同様にフローのＳ１２１〜Ｓ１２５のステップでＹ軸データを複数個数取得する。
【００３２】
この第二の実施形態は、そのＸ，Ｙ軸の座標データを前記説明したようなアルゴリズムでデータを平均化（Ｓ１２６）した後、ＣＰＵ１のデータ取得ソフトに通知（Ｓ１２７）を行った後再びフローに従い、最終的にペンダウン割込み待ち状態（Ｓ１０１）になる。
【００３３】
すなわち、この第二の実施形態では、インバータ２３以外からのノイズが座標データに入込んでも、平均化処理を行うことで、より正確な座標を読み出すことができる。また、カウンタに定める任意の値αが小さな値、すなわち短い時間であっても座標値を読み出すことができ、ＬＣＤ４の表示輝度をより安定化できる。
【００３４】
第三の実施形態は第二の実施形態の応用例であり、座標データの収束状態から座標位置を定めるものである。
【００３５】
図８のフローチャートは、現状Ｘ，Ｙ軸のデータを取得する時、実際にはＸ，Ｙ座標取得ゲートをオンした後、Ｘ，Ｙ軸の電圧が安定するまで任意の時間待ち、その後Ｘ軸のデータを取得している。
【００３６】
前記Ｘ，Ｙの電圧が安定するまでの時間は、タブレットの個体差も影響を受けるため、いかなるタブレットであっても十分安定する時間待って、データの取得行動を行なっていた。そこでこの待ち時間を最小にするために、Ｘ，Ｙ軸座標取得ゲートをオンした直後からデータ取得を行ない、取得したデータと直前のサンプリングデータの比較を行なう。すなわち、Ｎ回目の値とＮ−１回目の値の差が任意に定める電圧差以下になった場合、電圧が安定したと推定し、正規データ取得のためのサンプリングを行なう。ここで、任意の電圧差とはおおむね数十ｍＶである。
【００３７】
上記を図８のフローチャートを用いて説明する。第二の実施形態の図７と同様フローチャートのＳ１１１までは同一である。Ｘ座標のＡ／Ｄ変換（Ｓ１１１）を繰り返しＮ（Ｎは自然数）回行い、直前のＮ−１回のデータとの差分をＲＯＭ２に内蔵の演算手段で算出処理を行う（Ｓ１２９）。その値が所定値以下になったところで、再度Ｘ座標のデータを取得（Ｓ１３０）して、β回繰り返す（Ｓ１３１）。このステップ（Ｓ１３０、Ｓ１３１）が規定のサンプリング回数に達したならば、ＣＦＬ２５を再びオン（Ｓ１３２）とする。
【００３８】
次に、Ｙ軸方向もＸ軸方向と同様にフローのステップ（Ｓ１３３〜Ｓ１３９）でＹ軸データを前記と同様に取得する。そのＸ，Ｙ軸の座標データを図７で説明したようなアルゴリズムでデータを平均化（Ｓ１４０）した後、ＣＰＵ１のデータ取得ソフトに通知（Ｓ１２７）を行った後再びフローに従い、最終的にペンダウン割込み待ち状態（Ｓ１０１）になる。ここで繰り返す回数βは数十回に設定している。
【００３９】
図９は第三の実施形態をより簡便にした第四の実施形態である。第三の実施形態では、Ｘ座標の値が安定してからＸ座標のＡ／Ｄ変換（Ｓ１３０）をし、それをβ回繰り返す（Ｓ１３１）ことを行い、より正確なＸ座標データを取得した。しかしこの第四の実施形態では、前データとの差の値が十分小さくなる（Ｓ１２９）と、Ｘ座標のＡ／Ｄ変換（Ｓ１３０）を１回行い、次のステップ（Ｓ１３２）に進める。そして、Ｙ座標においても同じように、前データとの差の値が十分小さくなる（Ｓ１３６）と、Ｙ座標のＡ／Ｄ変換（Ｓ１３７）を１回行い、次のステップ（Ｓ１３９）に進める。このように複数回の座標取得は行わないので、より短い時間で押圧位置の座標を検出でき、第三の実施形態より簡便な方法になる。
【００４０】
以上、小型軽量化によるＬＣＤ４の非金属性の筐体であっても、ＣＦＬ２５の交流駆動電圧によるタブレットへの誘導ノイズの影響を排除し、タブレットの座標位置が正確に取得でき、システムの信頼性が向上し、ＬＣＤ４の安定表示が達成できる。
【００４１】
【発明の効果】
本発明によれば、ＣＦＬの交流駆動電圧によるタブレットへの誘導ノイズの影響を排除し、タブレット入力時の座標位置取得が正確に行われ、座標位置取得精度の高い信頼性のよい携帯情報端末装置を得ることができる。
【図面の簡単な説明】
【図１】本発明を搭載した携帯情報端末装置のブロック図。
【図２】ＬＣＤ概略断面図。
【図３】タブレット概略断面図。
【図４】本発明のタブレット概略制御回路図。
【図５】本発明第一の実施形態のフローチャート。
【図６】本発明のタブレット電圧−時間特性図。
【図７】本発明第二の実施形態のフローチャート。
【図８】本発明第三の実施形態のフローチャート。
【図９】本発明第四の実施形態のフローチャート。
【符号の説明】
１…ＣＰＵ、２…ＲＯＭ、３…ＤＲＡＭ、４…ＬＣＤ、５…グラフィックＩＣ、６…ＣＲＴ　Ｉ／Ｆ、７…タブレット、８…キーボード、９…ＭＯＤＥＭ、１０…ＲＳ２３２Ｃ　Ｉ／Ｆ、１１…ＩｒＤＡ　Ｉ／Ｆ、１２…ＵＳＢ回路、１３…ＣＤＭＡ　Ｉ／Ｆ、１４…ＰＤＣ／ＰＨＳ　Ｉ／Ｆ、１５…ＣＦ　Ｉ／Ｆ、１６…ＰＣ　Ｉ／Ｆ、１７…Ｓｏｕｎｄ　Ｉ／Ｏ、１８…スピーカ、１９…マイク、２０…電源回路、２３…インバータ、　２４…Ａ／Ｄコンバータ回路、　２５…ＣＦＬ、２６…液晶、２７…導光体、２８…筐体、２９…上部電極、３０…下部電極、３２…スタイラスペン、４０…割込み処理回路、５１，５２，５３，５４，５５…スイッチ
【図１】
2004046387.tif 000003
【図２】
2004046387.tif 000004
【図３】
2004046387.tif 000005
【図４】
2004046387.tif 000006
【図５】
2004046387.tif 000007
【図６】
2004046387.tif 000008
【図７】
2004046387.tif 000009
【図８】
2004046387.tif 000010
【図９】
2004046387.tif 000011